(57)【特許請求の範囲】
【請求項１】
ゴルフ場のコースを模することが可能に、床板の所望位置の高さを微細に調整可能な昇降調整手段を具備した支持部材上に床板が設けられたゴルフ用パター練習装置であって、前記床板の表面には四角形単位の区画線が設けられ、
該区画線により区画された全ての四角形区画部の所定位置には、下方に有底カップが連続的に設けられた開口が開設され、
前記床板の表面には前記四角形区画部と同一平面形状のシート材が他のシート材と互換可能に敷設され、
前記シート材には、該シート材を前記四角形区画部に載置すると前記開口と一致する位置に透口が開設されたシート材と、透口を有しないシート材の２種類を設け、
ホールを開設しようとする位置の四角形区画部には、前記透口が開設されたシート材を前記透口と前記開口を一致させて敷設してホールを形成し、
ホールを必要としない位置の四角形区画部には、前記透口を有しないシート材を敷設して前記床板の開口を閉塞するようにしたことを特徴とするゴルフ用パター練習装置。
【請求項２】
ゴルフ場のコースを模することが可能に、床板の所望位置の高さを微細に調整可能な昇降調整手段を具備した支持部材上に床板が設けられたゴルフ用パター練習装置であって、支持部材上に四角形単位の床材を取り付けてなり、全ての四角形単位の床材の所定位置には下方に有底カップが連続的に設けられた開口が開設され、
前記床材表面には、前記四角形単位の床材と同一平面形状のシート材が他のシート材と互換可能に敷設され、
前記シート材には、該シート材を前記四角形単位の床材に載置すると前記開口と一致する位置に透口が開設されたシート材と、透口を有しないシート材の２種類を設け、
ホールを開設しようとする四角形単位の床材には、前記透口が開設されたシート材を前記透口と前記開口を一致させて敷設してホールを形成し、
ホールを必要としない四角形単位の床材には、前記透口を有しないシート材を敷設して床材の開口を閉塞するようにしたことを特徴とするゴルフ用パター練習装置。
【請求項３】
上記シート材の表面には、ゴルフ場のグリーンを模した人工芝層を設けたことを特徴とする請求項１又は２の何れかに記載のゴルフ用パター練習装置。
【発明の詳細な説明】
【技術分野】
【０００１】  本発明は、透口が開設されたシート材と、透口を有しないシート材に互換性を持たせることで、所望位置にホールを開設可能にしたゴルフ場のコースを模したゴルフ用パター練習装置に関する。
【背景技術】
【０００２】  スタート部とグリーン部が長さ方向に連結され、上面にはゴルフ場のグリーンを模したシート材を設け、所望位置にホールを開設し、グリーン部の下面側にはグリーン部に勾配を設けるための勾配設定器を有してなるゴルフ遊戯具が提案されている（例えば、特許文献１参照）。特許文献１に開示のゴルフ遊戯具であると、予め定位置にシート材とホールが開設されており単調で変化に乏しく、種々の異なる位置のホールを用いて練習することができないという問題点があった。
正方形単位マットと、該正方形マットが分割された大きさの三角形状単位マットとを連結し、所望の正方形単位マット或は三角形状単位マットにボール孔が穿孔され、マットが一定厚みの上層部と一方から他方に亘り漸次厚みを厚くした下層部の２層からなるものが提案されている（例えば、特許文献２参照）。特許文献２に開示のゴルフ用パター練習マットは、マット下層部の厚み差により傾斜面を形成するものであるが、［００３４］の段の記載によれば、正方形マットの１辺が３５ｃｍを超えて５０ｃｍ以下であることが好適であることより、山状隆起部や傾斜面は１００ｃｍの範囲でしか形成できず、ゴルフ場のコースに極めて近い傾斜面を表現することはできないという問題点があった。
芝目が一方向の人工芝を表面に有する正方形マットを一列に並べ、スタート部から最も離れた位置に設けられた正方形マットにはホールを開口し、所望の位置に配設される正方形マットには、該マットの内側に隆起部を設けたものが提案されている（例えば、特許文献３参照）。特許文献３に開示のパット練習器であると、正方形マットに設けた隆起部は恰も石程度の大きさであり、実際のゴルフ場のコースに極めて近い環境とはいえず、この隆起部を回避してホールにゴルフボールを入れるという練習のみしかできず、コースに飽きるという問題点があった。
１枚のシートの表面に人工芝を設けたマットの所望位置にホールを開設し、ホールへ入り込み、入り込んだゴルフボールが進行方向への作用力でマット上に飛び出してマットの外側へ飛び出ることを防止するために、ホールは粘着剤層を表面に有する底面シートを設けた浅底にし、ホールに入り込んだゴルフボールを粘着剤層に粘着して移動しないようにし、ゴルフボールの周囲への散乱を防止し、回収を容易にしたパターゴルフ練習用マットが提案されている（例えば、特許文献４参照）。特許文献４に開示のパターゴルフ練習用マットであると、ホールの位置を変更することができず、コースに飽きるという問題点があった。
気密室間に開閉バルブを介装し、一方の室に圧力が負荷するとバルブが開き、別の室に送気されて別の室が膨張することで表面に歪みを生じる膨張可能本体の表面にホールを開設した人工芝層を載置して表面にゴルフ場のコースに似た曲面を形成するようにしたグリーンシュミレータが提案されている（例えば、特許文献５参照）。特許文献５に開示の発明であると、気密室間に開閉バルブを設けるため高コスト化し、プレーヤを空気層で支持するためプレーヤが安定した姿勢を保持しにくく、また、ホールの位置を変更することができないという問題点があった。
下板状体と上板状体及び芝層を着脱自在に重合した３層構造をとり、下板状体の上面の周囲には給排手段を具備するエアバッグを定間隔を有して配設し、上板状体と芝層には重合して貫通する位置に穿孔を設け、上昇させる側のエアバッグに給気して芝層及び上板状体を上昇させて芝層を傾斜面にする発明が開示されている（例えば、特許文献６参照）。特許文献６に開示の発明であると、芝層が前後左右に傾斜するのみでホールの位置が一定しており、僅かな起伏を有するゴルフ場に極めて似た環境を作り出していないという問題点があった。
マットの略中央に開設したホールを遊動台に取り付け、支持金具で支持される軸の両端にクランクを介装して車輪が取り付けられ、軸の回転により回転するクランクにより車輪が上下位置移動してマットを傾斜させるようにしたパター練習機や（例えば、特許文献７参照）、支柱で支持されたマットを複数のシリンダーのロッドの伸縮により踏板を傾斜させるようにしたもの（例えば、特許文献８参照）が提案されている。特許文献７若しくは８に開示の発明は、表面が平坦面のマットを傾斜させるだけであるので、ホールの位置が一定しており、実際の僅かな起伏を有するゴルフ場に似た環境を作り出していないという問題点があった。
粒状物が封入された収納袋に液体注入パイプと排水口を設けホールを開設したパターコースマットのホールを除く表面には人口芝を敷設し、収納袋に入れる液体により表面に自然な凹凸等を設けるようにしたパターコース練習機が提案されている（例えば、特許文献９参照）。特許文献９に開示の発明は、ホールが予め設定されておりホールの位置移動が不可能で、又、液体の給排装置を必要としメンテナンス作業が煩雑であるという問題点があった。
特許文献１０には、周縁に連続した凹凸を設けた正方形マットを一方向に連結し、最外側のマットの角部内側にホールを開設している状態が図示されている。特許文献１０に図示する意匠はマットの中央ではなく角部に開口を有しているので、床との２層構造の芝層として用いると仮定すると、床のホール開設位置がマットと同位置でなければならず、変化に富んだコースを造ることが困難であるという問題点があった。
【先行技術文献】
【特許文献】
【０００３】
【特許文献１】実開平７−７６７０号公報
【特許文献２】特開２０１３−２２６３２９号公報
【特許文献３】実開平３−３１４７５号公報
【特許文献４】実開平３−１５５６１号公報
【特許文献５】特表２００１−５１９２２１号公報
【特許文献６】特開２００２−３３６３９５号公報
【特許文献７】特公昭６１−４７１０９号公報
【特許文献８】特開平５−３１７４７７号公報
【特許文献９】特開平１１−１６４９２６号公報
【特許文献１０】意匠登録第１４５３６５２号の意匠公報
【発明の概要】
【発明が解決しようとする課題】
【０００４】  本発明は、床板に区画線により区画された四角形区画部の所定位置に開口を設け、四角形区画部と同一平面形状の透口が開設されたシート材と透口を有しないシート材の２種類を設け、ホールを必要とする位置の四角形区画部には透口が開設されたシート材を透口と開口を一致させて敷設し、ホールを不要とする位置の四角形区画部には透口を有しないシート材を敷設し、シート材を換えるという簡単な作業で所望位置にホールを開設し、床材を支持する支持部材の所望位置を高さ方向位置を変化させることでゴルフ場のコースと遜色のない様々なコースを模したゴルフ用パター練習装置を提供することを目的とする。
【課題を解決するための手段】
【０００５】  上記目的を達成するために本願発明のうち請求項１に記載の発明は、ゴルフ場のコースを模することが可能に、床板の所望位置の高さを微細に調整可能な昇降調整手段を具備した支持部材上に床板が設けられたゴルフ用パター練習装置であって、前記床板の表面には四角形単位の区画線が設けられ、該区画線により区画された全ての四角形区画部の所定位置には、下方に有底カップが連続的に設けられた開口が開設され、前記床板の表面には前記四角形区画部と同一平面形状のシート材が他のシート材と互換可能に敷設され、前記シート材には、該シート材を前記四角形区画部に載置すると前記開口と一致する位置に透口が開設されたシート材と、透口を有しないシート材の２種類を設け、ホールを開設しようとする位置の四角形区画部には、前記透口が開設されたシート材を前記透口と前記開口を一致させて敷設してホールを形成し、ホールを必要としない位置の四角形区画部には、前記透口を有しないシート材を敷設して前記床板の開口を閉塞するようにしたことを特徴とする。
請求項２に記載の発明は、ゴルフ場のコースを模することが可能に、床板の所望位置の高さを微細に調整可能な昇降調整手段を具備した支持部材上に床板が設けられたゴルフ用パター練習装置であって、支持部材上に四角形単位の床材を取り付けてなり、全ての四角形単位の床材の所定位置には下方に有底カップが連続的に設けられた開口が開設され、前記床材表面には、前記四角形単位の床材と同一平面形状のシート材が他のシート材と互換可能に敷設され、前記シート材には、該シート材を前記四角形単位の床材に載置すると前記開口と一致する位置に透口が開設されたシート材と、透口を有しないシート材の２種類を設け、ホールを開設しようとする四角形単位の床材には、前記透口が開設されたシート材を前記透口と前記開口を一致させて敷設してホールを形成し、ホールを必要としない四角形単位の床材には、前記透口を有しないシート材を敷設して床材の開口を閉塞するようにしたことを特徴とする。
請求項３に記載の発明は、請求項１又は２の何れかに記載のゴルフ用パター練習装置のシート材の表面には、ゴルフ場のグリーンを模した人工芝層を設けたことを特徴とする。
【発明の効果】
【０００６】  本願発明は、床板に区画線を設けて四角形区画部を設け、該四角形区画部の所定位置に開口を穿設し、且つ、四角形区画部と同一形状のシート材で四角形区画部と対応する位置に透口を開設したシート材と透口を有しないシート材の２種類のシート材を設け、ホールを必要とする位置の四角形区画部には開口と透口を一致させて透口を開設したシート材を敷設し、ホールを必要としない位置の四角形区画部には透口を有しないシート材を敷設して開口を閉塞してグリーンを形成するように構成されているので、２種類のシート材を交換するという簡単な作業で豊富な種類のコースをつくることができ、特別な装置を必要としないので経済的であるという効果がある。
【図面の簡単な説明】
【０００７】
【図１】ゴルフ用パター練習装置の切欠平面図である。（実施例１）
【図２】シート材を取り外した状態で、床板の一部を除いて支持部材の構造を示す一部切欠平面説明図である。（実施例１）
【図３】ゴルフ用パター練習装置の一部切欠側面図である。（実施例１）
【図４】床材を支持する支持部材のうち縦桟と横桟の交差状態を示す説明斜視図である。（実施例１）
【図５】透口が開設されたシート材を示す平面図である。（実施例１）
【図６】透口を有しないシート材を示す平面図である。（実施例１）
【図７】床板とシート材との関係を示す断面説明図である。（実施例１）
【図８】支持部材の縦桟の下に支持台を配置し床板を上方に彎曲させた状態を示す説明図である。（実施例１）
【図９】ゴルフ用パター練習装置の平面図である。（実施例２）
【発明を実施するための形態】
【０００８】  本発明は透口が開設されたシート材と、透口を有しないシート材の２種類のシート材を設けることで、シート材と同一四角形区画部に、透口を有するシート材を開口と一致させて載置することで床板のその四角形区画部にホールを開設し、透口を有しないシート材を別の四角形区画部に載置することで床板の開口を閉塞隠蔽し、シート材の交換作業という簡単な作業でプレーヤの所望位置にホールを開設することを実現した。
【実施例１】
【０００９】  図１〜図８に基いて実施例１を説明する。ゴルフ用パター練習装置１は、主として１枚の床板２と、床板２を支持する支持部材と、透口が開設されたシート材３と、透口を有しないシート材４、及び昇降調整手段よりなる。床板２の表面には、横方向に所定間隔を有して離隔し互いに平行な区画線５と、縦方向に所定間隔を有して離隔し互いに平行な区画線６とにより区画される多数の四角形区画部７を設けている。隣り合う区画線５の離隔距離と、隣り合う区画線６の離隔距離は、同一に設定され、四角形区画部７は、正方形に区画形成されている。四角形区画部７は、中央にゴルフ場のコースに形成されるホールと略同径のゴルフボールが入り込み可能な内径の開口８が穿設されている。実施例１では、総ての四角形区画部７に開口８を設けているが、多数の四角形区画部７のうち任意の四角形区画部７に開口８を設け、他の四角形区画部７には開口を設けないものも本願発明に含まれる。図７及び図８に示すように、開口８の下方には有底カップ９が設けられている。開口８の開口縁と有底カップ９の上端縁が一致するように、有底カップ９が床板２に取り付けられている。床板２の周囲にはボール回収溝１０が設けられている。【００１０】  床板２の表面には夫々の四角形区画部７に、透口が開設されたシート材３若しくは透口を有しないシート材４が選択的に敷設される。透口が開設されたシート材３と、透口を有しないシート材４は、床板２の四角形区画部７と同一平面形状に形成され、表面には人工芝層（図示省略）を設けている。実施例１では、透口が開設されたシート材３と透口を有しないシート材４の１辺は四角形区画部７の１辺と同じ長さの正方形に形成されており、透口が開設されたシート材３の中央には、床板２の開口８と略同径の透口１１が開設されている。【００１１】  図４に示すように、床板２は縦桟１２と横桟１３が交差してなる支持部材により支持され、有底カップ９の底面外面位置は縦桟１２の下面を結ぶ線よりも上方に位置するように設定されている。縦桟１２の横桟１３との交差部は凹部が形成され、横桟１３の高さ方向長さが凹部の溝深距離と同一長さに設定され、互いに交差する縦桟１２と横桟１３の上面位置は同一高さに位置するようにしている。支持部材の所望位置には昇降手段（図示省略）、例えばエアシリンダー或はジャッキ等を遠隔操作可能に取り付けている。実施例１では、縦桟１２の横桟１３との交差部に遠隔操作により昇降動する電動ジャッキ１４を設けている。縦桟１２の横桟１３との交差部に凹部が形成されていることより、撓み、ゴルフ場のコースに似た彎曲面を形成できる。縦桟１２と横桟１３に木材を用いると、一層撓みやすい。又、縦桟１２と横桟１３の交差部が四角形区画部７の角部に位置するように四角形区画部７を設けるとよい。【００１２】  次に、使用方法及び作用効果について説明する。透口が開設されたシート材３と、透口を有しないシート材４は、一辺が同一長さの正方形に形成され、透口が開設されたシート材３にのみ中央に透口１１が開設されている。床板２の所望位置にホールを設ける場合は、床板２に縦横に設けられた区画線５、６により区画された四角形区画部７のうち所望位置に位置する四角形区画部７���透口が開設されたシート材３を敷設する。透口が開設されたシート材３と四角形区画部７が１辺が同じ長さの正方形に形成され、且つ、中央に開口８、或は透口１１が開設されているので、開口８と透口１１が一致してホールを形成する。ホールを設ける必要のない位置の四角形区画部７には透口を有しないシート材４を敷設する。つまり、ホールが開設されていた四角形区画部７の透口が開設されたシート材３とホールを開設しようとする四角形区画部７に敷設されている透口を有しないシート材４を交換すれば簡単にホールの開設位置を変更できる。表面にシート材３、４が敷設されたゴルフ用パター練習装置１の表面のうち上方に膨出する部分を設ける場合は、膨出所望位置の縦桟１２と横桟１３の交差部に設けた電動ジャッキ１４を遠隔操作で上昇させる。
【実施例２】
【００１３】  図９に基いて実施例２を説明する。図１〜図８に示す実施例１と異なる点は床板２が四角形単位の床材１５を敷き詰めてなることである。縦桟１２と横桟１３とを組み立ててなる支持部材上に四角形単位の床材１５を敷設する。四角形単位の床材１５は、正方形の板の中央に開口１６を設けてなる。正方形の床材１５は縦桟１２と横桟１３との交差部に床材角部が位置するように四角形単位の床材１５を敷設する。床材１５は支持部材にボルトとナット等の締着具１７で固定的に取り付けられている。実施例２では、昇降手段を遠隔操作ができなくとも、締着具１７の取り外しにより、支持部材の下側に台部材１４を人手で差し込むことが出来る。
【符号の説明】
【００１４】１  ゴルフ用パター練習装置
２  床板
３  透口が開設されたシート材
４  透口を有しないシート材
５  横の区画線
６  縦の区画線
７  四角形区画部
８、１６  開口
９  有底カップ
１１  透口
１５  床材
【要約】      （修正有）【課題】簡単な作業でホール開設位置を変更可能にしたパット練習用傾斜台の提供。【解決手段】床板２の表面には、多数の四角形区画部７を設けている。四角形区画部７は、中央にゴルフ場のコースに形成されるホールと略同径のゴルフボールが入り込み可能な内径の開口８が穿設されている。四角形区画部７には、透口が開設されたシート材３若しくは透口を有しないシート材４が選択的に敷設される。透口が開設されたシート材３と、透口を有しないシート材４は、床板２の四角形区画部と同一平面形状に形成され、表面には人工芝層を設けている。床板２の所望位置にホールを設ける場合は、四角形区画部７のうち所望位置に位置する四角形区画部に透口が開設されたシート材３を開口８と透口を一致させて敷設する。ホールを設ける必要のない位置の四角形区画部には透口を有しないシート材４を敷設する。【選択図】図７【図１】
0006025005.tif 000002
【図２】
0006025005.tif 000003
【図３】
0006025005.tif 000004
【図４】
0006025005.tif 000005
【図５】
0006025005.tif 000006
【図６】
0006025005.tif 000007
【図７】
0006025005.tif 000008
【図８】
0006025005.tif 000009
【図９】
0006025005.tif 000010